(57)【要約】【課題】子供用後部補助座席に装着することの出来る日除け雨除けフードであり、年々問題視されている紫外線からまだ肌の弱い子供を守ることを主眼とし、突然の雨等も防ぐことも出来ることで乗車している子供の快適性を図るものである。また大部分の軽車両の後部座席への装着が可能でかつ取り外し容易で、コンパクトであり、しかも子供が安全に乗降できるものである。【解決手段】フードの形態は、布、好ましくは紫外線カット加工・防水加工を施した布及び骨格部からなる。座席には専用クッションを取り付ける。フード本体に取付ける布は、乗車中の子供の頭上部と左右側面のみを覆い、風通しを良好とする。【選択図】図１
2007246068.tif 000002
【特許請求の範囲】
【請求項１】
自転車の子供用後部補助座席に乗車する子供を保護対象として自転車後部用補助座席に直接又は子供用後部座席を介して間接的に装着可能となっている自転車後部補助座席用日除け雨除けフード
【請求項２】
フード布部で後部座席に乗っている子供の頭上及び左右側面のみを覆うことで風通しの良さを確保した自転車後部座席用日除け雨除けフード
【請求項３】
組み立て式のためコンパクトに収納出来、取り外しも容易に出来る自転車後部補助座席用日除け雨除けフード
【発明の詳細な説明】
【技術分野】
【０００１】本発明は、自転車後部補助座席に装着することが出来る日除け雨除けフードとこのフードを装着した自転車に関するものである。
【背景技術】
【０００２】自転車のハンドルに装着したり、自転車の前カゴ部分を利用した子供用補助座席は周知である。またそれらを使用する際に子供を日光や風雨から保護する器具は知られている。
【発明の開示】
【発明が解決しようとする課題】
【０００３】従来から、自転車後部補助座席に乗る子供を対象にした日光や雨から保護する器具はなかった。そのため、特に紫外線防止のために、子供に帽子をかぶせたり、日焼け止めクリーム等を塗ったりして子供の皮膚を守るための手段を講じている。
日除けのために装着できるもの例えば日傘などがあっても、自転車の安定感が悪くなる等運転し難くなるという不具合があった。また子供用後部補助座席に装着するものとしては背部にあるため特に安全性が要求される。
本発明は、自転車後部座席に装着することの出来る紫外線カット及び雨除けフードで、これにより乗車中の子供の快適性が得られ、しかも運転の妨げにもならず、なおかつ装着も簡単に出来るフードを提供するものである。
本発明は、このような日除け雨除けフードを装着した自転車を提供することもその目的の一つとする。
【課題を解決するための手段】
【０００４】前記目的を達成するため、本発明は次の手段を講じた。
本発明のフードは、フード本体部と、クッション性のある底部パーツからなる。フード本体は、布及び骨格部からなる。フード本体の布の材質は、綿、麻、ポリエステル、ナイロンなどの天然繊維や合成繊維が使用可能であるがＵＶカット（及び防水加工）を施した布であれば一層効果的である。この布は風通しを良好とするために、乗っている子供の頭上及び左右側面のみを覆う。また骨格部は天井部、側面部及び底部からなり、材質は厚手のダンボール、木の皮、藁などの天然素材及びプラスチック、また鉄製、アルミニウム製及びステンレス製などの金属があげられるが、いずれも子供にとって安全を保つよう、危険な部位のないようにする。
また本発明フードは、各パーツが取りはずしが出来、コンパクトに収納できる。
本発明の天井部に取付ける布は、乗車中の子供の側面部も覆い、かつ風等で広がらないように、自転車後部補助座席に取り付ける。取り付けにはヒモまたはマジックテープ等を用いる。
本発明に係る自転車は上記本考案に係るフードを装着した構成となされたものである。この自転車としては電動アシスト自転車や電動自転車、三輪またはそれ以上の車輪数とされた自転車などを含むものとする。
本発明フードは、自転車への装着に限定されるものではなく、ベビーカーなどの他の軽車両に装着することも可能である。
このフードで後部座席に乗車する子供を紫外線や雨から保護することが出来、かつ風通しもよいため、子供は涼しく快適に乗車できる。
【発明の効果】
【０００５】以上説明したことから明らかなように、本発明に係る軽車両用日除けフードは、自転車などの軽車両に装着することが出来、このフードの装着により紫外線防止や雨除け対策など多機能化が図られる。またこのフードを装着することにより乗車する子供の快適性が得られなおかつ、運転の妨害にもならない。
子供用後部補助座席に乗車させる子供を対象として、年々問題視されている紫外線や雨等から子供を保護することが出来る。
取付も簡単で、持ち運びが容易である。
【発明を実施するための最良の形態】
【０００６】以下、本発明の実施例を、図面に基づき説明する。
【実施例１】
【０００７】図１は本発明に係る自転車１の１実施形態を示しており、図２は、この第１実施形態自転車１に装着されているフード２を示している。図１から明らかなように、第１実施形態の自転車１には、子供用後部補助座席３が装着されており、この子供用後部補助座席３を覆う配置でフード２が装着されている。【０００８】このフード２は、図２に示すようなフード布部４と、天井部５、側面部６、７及び底部クッション部８から成る。【０００９】図３はフード布部４の内側から見た展開図である。この布の材質は、天然繊維又は合成繊維を使用する。ＵＶカット加工（及び防水加工）を施した布であれば一層効果的である。４１部及び４２部にマジックテープ等接着部を設けることにより天井部５と接着固定出来る。また４３部分には前面からの日差し防止のためのレースのカーテンが縫合されいる。不使用時には４４部分に接着部分を設けることによりカーテンを内側に固定する。また子供用後部補助座席３に固定するためのひも等を４５部分から４８部分までの４箇所またはそれ以上取付ける。【００１０】図４はフード布部の使用時の外観形状の１例を示す。【００１１】図５は、天井部の１例である。材質は例えば厚手の波型ダンボール紙等を用いる。上面５１、５２部及び下面５３、５４部に接着部分を設ける。上面接着部はフード布部４の４１、４２と固定、下面部はフード側面部６及び側面部７の６１、７１部に固定する。【００１２】図６は、側面部（片側）の１例である。
側面部の材質は、例えば厚手の波型ダンボール等を用いる。上部上面に接着部分６１部を設け、天井部５の５３部と接着固定する。下部上面には接着部分６２部を設け、底部クッション部８の８１部と接着する。また強度補強のため、３角柱６３及び６４を側面部内側に粘着テープ等で接着する。３角柱の材質は発泡スチロール等を用いる。【００１３】図７は、側面部（もう一方側）の１例である。
上部上面に接着部分７１部を設け、天井部５の５４部と接着固定する。下部上面には接着部分７２部を設け、底部８の８２部と接着する。また、３角柱７３及び７４部に側面部内側に接着する。側面部及び３角柱の材質は図６と同様である。【００１４】図８はフード底部８の上部から見た詳細図である。材質はクッション性を持つものを使用し、マジックテープ等で８１、８２部に接着部を設け、側面骨格部６及び７を固定する。【００１５】図９は、ワンタッチ止め具９を用いた、後部座席とフード底部の固定方法の１例である。
【実施例２】
【００１６】図１０は、骨格部にプラスチックチューブを使用した場合の骨格部の１例である。
天井部骨格に相当する中空のチューブ５ａ部、底部骨格に相当する中空のチューブ８ａ部及び側面部骨格に相当する２本のチューブ６ａ部、７ａ部からなる。６ａ及び７ａ部のチューブは５ａ部及び８ａ部の中空部に差し込むことが可能な直径を持つものとする。
骨格部は解体可能であり、コンパクトに収納できる。【００１７】図１１は、天井部の面積を広くとる場合の骨格部の１例である。天井部５ｂが一部広くなっている。【００１８】図１２は上記プラスチック製の骨格部を使用した場合のフード布部４の内側から見た展開図の１例である。天井相当部分には、図５と同様のレースのカーテンを縫合し、更に骨格部を固定するための接着帯４ａ、４ｂ、４ｃ及び４ｄを取り付け、骨格部に布を固定する。また図３と同様に固定ひも等を取付けることにより、側面骨格部または後部座席に固定する。【００１９】図１３は上記接着帯４ａの１例の詳細図である。
マジックテープ等による接着部分４０３部及び４０４部を持つ接着帯の４０２部をフード布部４に縫合または接着し、接着帯の固定されていない４０１部でプラスチック骨格部を挟み、４０３部と４０４部を接着し、骨格部を布に固定する。４ｂ、４ｃ及び４ｄ部も同様である。【００２０】図１４は、フードの天井相当部を袋状にした場合の、フード布部４の内側から見た展開図の１例である。骨格部の天井相当部を布部袋４ｅ部に挿入、布部と骨格部を固定する。【００２１】図１５はフード底部８の１例である。材質はクッション製を持つものを使用し、マジックテープ等の接着部を持つ図１３と同様の接着帯、８ｃ、８ｄ、８ｅおよび８ｆ部を設け、底部骨格部を固定する。【００２２】図１６はフード底部８の１例である。クッション部を袋状にしたものである。袋８ｇ部に骨格部の底部相当部分を挿入する。
【図面の簡単な説明】
【００２３】
【図１】本考案に係る自転車の一実施形態を示す側面図である。
【図２】本考案に係る日除け雨除けフード（図１）を示す斜視分解図である。
【図３】図２に示したフード布部の展開内面図である。
【図４】図３のフード布部の装着形状の１例である。
【図５】図２に示したフード天井骨格部の斜視図の１例である。
【図６】図２に示したフード側面骨格部（片側）の斜視図の１例である。
【図７】図２に示したフード側面骨格部（もう一方側）の斜視図の１例である。
【図８】図２に示したフード底部の斜視図の１例である。
【図９】フード底部の後部補助座席への固定方法の斜視図の１例である。
【図１０】プラスチック製骨格部の展開内面図の１例である。
【図１１】プラスチック製骨格部の天井部の面積を大きくした場合の骨格図の１例である。
【図１２】プラスチック製骨格部を使用した場合のフード布部の展開内面図の１例である。
【図１３】プラスチック製骨格部を使用した場合のフード布部と骨格部の固定方法の展開図の１例である。
【図１４】プラスチック製骨格天井部を挿入する袋を持つフードの布部の斜視図の１例である。
【図１５】フード底部へのプラスチック製骨格部の固定方法の斜視図の１例である。
【図１６】プラスチック製骨格部を挿入する袋を持つフード底部の斜視図の１例である。
【符号の説明】
【００２４】１  自転車
２  日除け雨除けフード
３  子供用後部補助座席
４  フード布部
５  フード天井骨格部
６  フード側面骨格部（片側）
７  フード側面骨格部（もう一方側）
８  フード底部
９  日よけ雨除けフードを子供用後部補助座席に固定する固定具
【図１】
2007246068.tif 000003
【図２】
2007246068.tif 000004
【図３】
2007246068.tif 000005
【図４】
2007246068.tif 000006
【図５】
2007246068.tif 000007
【図６】
2007246068.tif 000008
【図７】
2007246068.tif 000009
【図８】
2007246068.tif 000010
【図９】
2007246068.tif 000011
【図１０】
2007246068.tif 000012
【図１１】
2007246068.tif 000013
【図１２】
2007246068.tif 000014
【図１３】
2007246068.tif 000015
【図１４】
2007246068.tif 000016
【図１５】
2007246068.tif 000017
【図１６】
2007246068.tif 000018